(57)【要約】【課題】所望の楽曲を簡単かつ確実に聴くことができる情報配信システム及び情報配信方法の提供。【解決手段】ラジオ受信機を含むカーオーディオ装置５と携帯端末２と楽曲を放送すると共にオンエア情報を公開するラジオ局４とラジオ局４を選局するための情報を配信する情報配信装置３とを含み、情報配信装置３に、リクエストする楽曲のタイトル名やアーティスト名、ジャンルなどのリクエスト情報及びメールアドレスを受信する手段と、リクエスト情報をメールアドレスに関連付けて登録する手段と、ラジオ局４に定期的にアクセスし、オンエア中又はオンエア予定の楽曲の中からリクエスト情報に適合する楽曲をポーリングで検索する手段と、リクエスト情報に適合する楽曲がある場合に、その楽曲をオンエアするラジオ局４を特定する選局情報を含む電子メールを対応するメールアドレスに送信する手段とを備える。【選択図】図１
2008085943.tif 000002
【特許請求の範囲】
【請求項１】
楽曲を放送すると共に放送中又は放送予定の楽曲に関する情報をＷＥＢサイトに公開するラジオ放送局と、前記楽曲を受信するラジオ受信機と、携帯端末と、前記ラジオ局を選択するための情報を配信する情報配信装置とを少なくとも備える情報配信システムにおいて、
前記情報配信装置に、
リクエストする楽曲に関するリクエスト情報及び前記携帯端末のメールアドレスを受信する手段と、
前記リクエスト情報を前記メールアドレスに関連付けて登録する手段と、
前記ラジオ局のＷＥＢサイトにアクセスし、放送中又は予め定められた期間内に放送予定の楽曲の中から、前記リクエスト情報に適合する楽曲を検索する手段と、
前記リクエスト情報に適合する楽曲がある場合に、前記リクエスト情報に関連付けられた前記メールアドレスに、前記楽曲を放送するラジオ局を特定する選局情報を含む電子メールを送信する手段と、を少なくとも備えることを特徴とする情報配信システム。
【請求項２】
前記携帯端末に、
前記電子メール中の前記選局情報を前記ラジオ受信機に送信する手段を備え、
前記ラジオ受信機に、
前記選局情報を受信する手段と、
前記ラジオ受信機の受信周波数を前記選局情報で特定される前記ラジオ局に調整する手段と、を備えることを特徴とする請求項１記載の情報配信システム。
【請求項３】
前記リクエスト情報は、前記楽曲のタイトル名、アーティスト名又はジャンルのいずれかを含むことを特徴とする請求項１又は２に記載の情報配信システム。
【請求項４】
楽曲を放送すると共に放送中又は放送予定の楽曲に関する情報をＷＥＢサイトに公開するラジオ放送局と、前記楽曲を受信するラジオ受信機と、携帯端末と、前記ラジオ局を選択するための情報を配信する情報配信装置とを少なくとも備えるシステムにおける情報配信方法であって、
リクエストする楽曲に関するリクエスト情報及び前記携帯端末のメールアドレスを送信するステップと、
前記情報配信装置で前記リクエスト情報及び前記メールアドレスを受信し、前記リクエスト情報を前記メールアドレスに関連付けて登録するステップと、
前記情報配信装置で前記ラジオ局のＷＥＢサイトにアクセスし、放送中又は予め定められた期間内に放送予定の楽曲の中から、前記リクエスト情報に適合する楽曲を検索するステップと、
前記リクエスト情報に適合する楽曲がある場合に、前記リクエスト情報に関連付けられた前記メールアドレスに、前記楽曲を放送するラジオ局を特定する選局情報を含む電子メールを配信するステップと、を少なくとも有することを特徴とする情報配信方法。
【請求項５】
更に、
前記携帯端末から前記電子メール中の前記選局情報を送信するステップと、
前記ラジオ受信機で前記選局情報を受信し、前記ラジオ受信機の受信周波数を前記選局情報で特定される前記ラジオ局に調整するステップと、を有することを特徴とする請求項４記載の情報配信方法。
【請求項６】
前記リクエスト情報は、前記楽曲のタイトル名、アーティスト名又はジャンルのいずれかを含むことを特徴とする請求項４又は５に記載の情報配信方法。
【発明の詳細な説明】
【技術分野】
【０００１】
本発明は、情報配信システム及び情報配信方法に関し、特に、モバイルインターネットを利用してカーラジオのチャンネル選定を支援する情報配信システム及び情報配信方法に関する。
【背景技術】
【０００２】
自動車内部には、ラジオ受信機などのカーオーディオ機器が標準装備されており、リスナーはラジオ受信機の受信周波数を所定のラジオ局に調整することによって、そのラジオ局から放送される楽曲を聴くことができる。
【０００３】
また、ラジオ局ではＷＥＢサイトに現在オンエア中又はオンエア予定の楽曲のタイトル名やアーティスト名、ジャンル、オンエア時刻などのオンエア情報を公開しており、リスナーはＷＥＢサイトにアクセスすることによって、いつ、どのラジオ局でどのような楽曲が放送されるかを知ることができる（上記オンエア情報の公開に関して、例えば、下記特許文献１参照）。
【０００４】
【特許文献１】特開２００２−２０８９００号公報（第３−５頁、第１図）
【発明の開示】
【発明が解決しようとする課題】
【０００５】
しかしながら、楽曲の放送やオンエア情報の公開はラジオ局が一方的に行っているため、リスナー自らが選局したラジオ局でリスナーが聴きたい楽曲が放送される確率は極めて低く、リスナーがお気に入りの楽曲を聴きたい場合には、携帯電話機やパーソナルコンピュータなどを用いてＷＥＢサイトにアクセスし、現在オンエア中の楽曲のタイトル名やアーティスト名、ジャンルを調べてラジオ局を選択するか、又は、予めＷＥＢサイトにアクセスしてオンエア予定の楽曲のタイトル名やアーティスト名、ジャンル、オンエア時刻を調べ、何時何分にどのラジオ局で放送されるかを覚えておく必要があり、利便性が悪いという問題があった。
【０００６】
そのため、リスナーがお気に入りの楽曲を聴きたい場合には、ＣＤやＭＤ、メモリなどに記録した個人用の楽曲を聴く事になり、ラジオ放送を聴かない状態も発生してしまい、リスナー離れを起こしてしまうという問題があった。
【０００７】
本発明は、上記問題点に鑑みてなされたものであって、その主たる目的は、リスナー自らがオンエア中又はオンエア予定の楽曲を調べなくても、所望の楽曲を簡単かつ確実に聴くことができる情報配信システム及び情報配信方法を提供することにある。
【課題を解決するための手段】
【０００８】
上記目的を達成するため、本発明は、楽曲を放送すると共に放送中又は放送予定の楽曲に関する情報をＷＥＢサイトに公開するラジオ放送局と、前記楽曲を受信するラジオ受信機と、携帯端末と、前記ラジオ局を選択するための情報を配信する情報配信装置とを少なくとも備える情報配信システムにおいて、前記情報配信装置に、リクエストする楽曲に関するリクエスト情報及び前記携帯端末のメールアドレスを受信する手段と、前記リクエスト情報を前記メールアドレスに関連付けて登録する手段と、前記ラジオ局のＷＥＢサイトにアクセスし、放送中又は予め定められた期間内に放送予定の楽曲の中から、前記リクエスト情報に適合する楽曲を検索する手段と、前記リクエスト情報に適合する楽曲がある場合に、前記リクエスト情報に関連付けられた前記メールアドレスに、前記楽曲を放送するラジオ局を特定する選局情報を含む電子メールを送信する手段と、を少なくとも備えるものである。
【０００９】
本発明においては、前記携帯端末に、前記電子メール中の前記選局情報を前記ラジオ受信機に送信する手段を備え、前記ラジオ受信機に、前記選局情報を受信する手段と、前記ラジオ受信機の受信周波数を前記選局情報で特定される前記ラジオ局に調整する手段と、を備える構成とすることができる。
【００１０】
また、本発明においては、前記リクエスト情報は、前記楽曲のタイトル名、アーティスト名又はジャンルのいずれかを含むことが好ましい。
【００１１】
また、本発明の方法は、楽曲を放送すると共に放送中又は放送予定の楽曲に関する情報をＷＥＢサイトに公開するラジオ放送局と、前記楽曲を受信するラジオ受信機と、携帯端末と、前記ラジオ局を選択するための情報を配信する情報配信装置とを少なくとも備えるシステムにおける情報配信方法であって、リクエストする楽曲に関するリクエスト情報及び前記携帯端末のメールアドレスを送信するステップと、前記情報配信装置で前記リクエスト情報及び前記メールアドレスを受信し、前記リクエスト情報を前記メールアドレスに関連付けて登録するステップと、前記情報配信装置で前記ラジオ局のＷＥＢサイトにアクセスし、放送中又は予め定められた期間内に放送予定の楽曲の中から、前記リクエスト情報に適合する楽曲を検索するステップと、前記リクエスト情報に適合する楽曲がある場合に、前記リクエスト情報に関連付けられた前記メールアドレスに、前記楽曲を放送するラジオ局を特定する選局情報を含む電子メールを配信するステップと、を少なくとも有するものである。
【００１２】
本発明においては、更に、前記携帯端末から前記電子メール中の前記選局情報を送信するステップと、前記ラジオ受信機で前記選局情報を受信し、前記ラジオ受信機の受信周波数を前記選局情報で特定される前記ラジオ局に調整するステップと、を有する構成とすることができる。
【００１３】
このように、情報配信装置は、ラジオ局のＷＥＢサイトに定期的にアクセスして、予めリスナーが登録したリクエスト情報に適合する楽曲をポーリングで検索し、適合する楽曲がある場合に、その楽曲を放送するラジオ局を特定する選局情報を含む電子メールをリクエスト情報に関連付けられたメールアドレスに送信するため、リスナーは携帯端末で受信した電子メールを確認するだけで、所望の楽曲を簡単かつ確実に聴くことができる。
【００１４】
また、ラジオ受信機で、携帯端末から送信される選局情報に基づいてラジオ受信機の受信周波数をそのラジオ局に調整する制御を行うことにより、リスナーがカーオーディオ装置を操作してラジオ局を選択しなくても、所望の楽曲を簡単かつ確実に聴くことができる。
【発明の効果】
【００１５】
本発明の情報配信システム及び情報配信方法によれば、所望の楽曲を簡単かつ確実に聴くことができる。
【００１６】
その理由は、リスナーが予めタイトル名やアーティスト名、ジャンルなどのリクエスト情報と携帯端末のメールアドレスとを情報配信装置に登録しておくと、情報配信装置は、各ラジオ局のＷＥＢサイトに定期的にアクセスして、オンエア中又はオンエア予定の楽曲の中から予め登録されたリクエスト情報に適合する楽曲をポーリングで検索し、適合する楽曲がある場合に、その楽曲を放送するラジオ局を特定する選局情報を含む電子メールを予め登録されたメールアドレスの携帯端末に送信する制御を行うからである。
【００１７】
また、携帯端末に電子メール中の選局情報をカーオーディオ装置に送信する機能を設け、カーオーディオ装置に携帯端末から送信される選局情報を受信して、受信周波数をそのラジオ局に調整する手段を設けることにより、リスナーがカーオーディオ装置を操作してラジオ局を選択する必要がないからである。
【発明を実施するための最良の形態】
【００１８】
本発明の情報配信システムは、その好ましい一実施の形態において、ラジオ受信機を含むカーオーディオ装置と、リスナーの携帯端末と、楽曲を放送すると共にＷｅｂサイトでオンエア中又はオンエア予定の楽曲のタイトル名やアーティスト名、ジャンル、オンエア時刻などのオンエア情報を公開するラジオ局と、ラジオ局を選択するための情報を配信する情報配信装置とを含み、情報配信装置には、リスナーのお気に入りの楽曲のタイトル名やアーティスト名、ジャンルなどのリクエスト情報及び携帯端末のメールアドレスを受信する手段と、リクエスト情報をメールアドレスに関連付けて登録する手段と、各ラジオ局のＷｅｂサイトに定期的にアクセスし、オンエア中又はオンエア予定の楽曲の中からリクエスト情報に適合する楽曲をポーリングで検索する手段と、適合する楽曲がある場合に、その楽曲をオンエアするラジオ局を特定する選局情報と必要に応じてオンエア時刻とを含む電子メールをリクエスト情報に関連付けられたメールアドレスに送信する手段とを備える。また、携帯端末には、受信した電子メールから選局情報を抽出する手段と、その選局情報を無線、赤外線又は有線でカーオーディオ装置に送信する手段を備え、カーオーディオ装置には、受信した選局情報に基づいて受信周波数をそのラジオ局に調整する手段を備える。これにより、リスナーのお気に入りの楽曲が現在オンエア中又はオンエア予定であることを知ることができ、その楽曲をオンエアするラジオ局を自動又は手動で選択することにより、所望の楽曲を簡単かつ確実に聴くことができる。
【実施例】
【００１９】
上記した本発明の実施の形態についてさらに詳細に説明すべく、本発明の一実施例に係る情報配信システム及び情報配信方法について、図１乃至図６を参照して説明する。図１は、本実施例の情報配信システムの構成を模式的に示す図である。また、図２乃至図４は、各々、情報配信装置、携帯端末、カーオーディオ装置の構成を示すブロック図である。また、図５は、本実施例の情報配信方法の手順を示すフローチャート図であり、図６は、情報配信装置から送信される電子メールの構成例を示す図である。
【００２０】
図１に示すように、本実施例の情報配信システムは、ＡＭ放送やＦＭ放送などのラジオ放送を受信するラジオ受信機を含むカーオーディオ装置５と、携帯電話機やパーソナルコンピュータなどのメール受信機能を備えた機器（以下、携帯端末２と呼ぶ。）と、楽曲を放送する送信部４ａ及びＷｅｂサイトでオンエア（放送）中又はオンエア予定の楽曲のタイトル名やアーティスト名、ジャンル、オンエア時刻などの情報（以下、オンエア情報と呼ぶ。）を公開するラジオ局ホームページ４ｂなどを備えるラジオ局４と、携帯端末２及びラジオ局４にネットワーク接続される情報配信装置３とを含む。
【００２１】
また、図２に示すように、上記情報配信装置３には、携帯端末２から送信された、リスナー１（ユーザー）のお気に入りの楽曲のタイトル名やアーティスト名、ジャンルなどの情報（以下、リクエスト情報と呼ぶ。）と携帯端末２のメールアドレスとを受信するリクエスト情報受信手段３ｃと、リクエスト情報をメールアドレスに関連付けてリクエスト情報データベース３ｄに登録するリクエスト情報登録手段３ｂと、ラジオ局ホームページ４ｂに定期的にアクセスし、オンエア中又はオンエア予定の楽曲の中から、リクエスト情報に適合する楽曲をポーリングで検索する検索手段３ａと、適合する楽曲がある場合に、その楽曲をオンエアするラジオ局を特定する情報（例えば、受信周波数やラジオ局の名称など、以下、選局情報と呼ぶ。）などを記載した電子メールを携帯端末２に配信する電子メール送信手段３ｅとを備える。
【００２２】
また、図３に示すように、携帯端末２には、情報配信装置３にリクエスト情報やメールアドレスなどを送信すると共に、情報配信装置３から送信される電子メールを受信する無線通信手段２ａと、電子メールから選局情報を抽出する選局情報抽出手段２ｂと、無線、赤外線、有線などの任意の通信方法を用いて選局情報をカーオーディオ装置５に送信する外部通信手段２ｃと、電子メールの内容の表示などを行う表示手段２ｄと、選局情報の送信の指示などを行う操作手段２ｅとを備える。
【００２３】
また、図４に示すように、カーオーディオ装置５には、ラジオ局４から放送されるラジオ放送を受信するラジオ放送受信手段５ａと、携帯端末２から送信される選局情報を受信する外部通信手段５ｃと、受信した選局情報に基づいて自動でラジオ局の選局を行うラジオ局選局手段５ｂと、ラジオ局の選局を手動で行うための操作手段５ｄとを備える。
【００２４】
なお、上記説明では、携帯端末２で電子メールから選局情報を抽出したが、カーオーディオ装置５側に電子メールから選局情報を抽出する機能を持たせ、携帯端末２で受信した電子メールをカーオーディオ装置５に送信する構成としてもよい。また、ラジオ局の選局をリスナー自身が行う場合は、携帯端末２の選局情報抽出手段２ｂや外部通信手段２ｃ、カーオーディオ装置５のラジオ局選局手段５ｂや外部通信手段５ｃなどは不要である。更に、上記各手段は情報配信装置３や携帯端末２、カーオーディオ装置５にハードウェアとして構成してもよいし、コンピュータを上記各手段として機能させるソフトウェアとして構成し、該ソフトウェアを情報配信装置３や携帯端末２、カーオーディオ装置５上で機能させる構成としてもよい。
【００２５】
次に、上記構成の情報配信システムを用いてリスナー１に選局情報を配信する手順について、図５のフローチャート図を参照して説明する。
【００２６】
まず、ステップＳ１０１で、リスナー１は、携帯端末２の無線通信手段２ａを用いて情報配信装置３にアクセスし、リスナー１が聴きたい楽曲を特定するためのリクエスト情報（タイトル名やアーティスト名、ジャンルなどから選択される少なくとも一つの情報）と携帯端末２のメールアドレスを情報配信装置３に送信する。
【００２７】
なお、リクエスト情報はリスナー１が任意に設定してもよいし、情報配信装置３がタイトル名やアーティスト名、ジャンルのリストを提示し、リスナー１がその中から選択する構成としてもよい。また、上記リクエスト情報及びメールアドレスを送信する端末と情報配信装置３からの電子メールを受信する端末とは同じである必要はなく、例えば、パーソナルコンピュータなどを用いてリクエスト情報及びメールアドレスを送信し、携帯電話機を用いて電子メールを受信してもよく、その場合は、電子メールを受信する携帯電話機のメールアドレスを送信すればよい。
【００２８】
次に、ステップＳ１０２で、情報配信装置３のリクエスト情報受信手段３ｃは、携帯端末２から送信されたリクエスト情報とメールアドレスとを受信し、リクエスト情報登録手段３ｂは、リクエスト情報をメールアドレスに関連付けてリクエスト情報ＤＢ３ｄに登録する。
【００２９】
次に、ステップＳ１０３で、情報配信装置３の検索手段３ａは、ラジオ局４のホームページに定期的にアクセスし、現在オンエアされている楽曲のタイトル名やアーティスト名、ジャンルなどを調べ、ステップＳ１０４で、その中から、リクエスト情報ＤＢ３ｄに予め登録されているリクエスト情報に適合する楽曲を検索する。その際、現在オンエアされている楽曲に限らず、オンエアする予定の楽曲も検索範囲に入れることが好ましいが、オンエア時刻があまり先になるとそのラジオ局に選局する意義がなくなるため、予め定めた期間後（例えば、数分先）にオンエアされる楽曲に限定してもよい。
【００３０】
なお、検索に際して、リクエスト情報に複数の情報が含まれている場合に、全ての情報が一致（例えば、アーティスト名とタイトル名を登録している場合はその双方が一致）する楽曲を検索してもよいし、いずれかの情報が一致（上記例で、アーティスト名のみが一致）する楽曲を検索してもよい。また、タイトル名やアーティスト名は複数の名称（例えば、正式名称と略称）が存在する場合もあることから、検索に際して実質的に情報が一致するか否かに基づいて判断することが好ましい。
【００３１】
そして、現在オンエア又はオンエア予定の楽曲の中にリクエスト情報に適合する楽曲がある場合（ステップＳ１０５のＹｅｓの場合）は、ステップＳ１０６で、電子メール送信手段３ｅは、オンエアするラジオ局４を特定する選局情報と、オンエア予定の場合はオンエア時刻とを含む電子メールを作成し、その電子メールをリクエスト情報に関連付けられたメールアドレスに送信する。なお、電子メールの形態は任意であり、例えば、図６（ａ）に示すように選局情報のみを記載してもよいし、図６（ｂ）に示すようにアーティスト名やタイトル名、ジャンルなどの他の情報を合わせて記載してもよい。
【００３２】
次に、ステップＳ１０７で、リスナー１は携帯端末２の無線通信手段２ａを用いて、情報配信装置３から送信された電子メールを受信し、手動でラジオ局４を選択する場合（ステップＳ１０８のＮｏの場合）は、ステップＳ１０９で、リスナー１は携帯端末２の表示手段２ｄに表示された選局情報を読み取り、カーオーディオ装置５の操作手段５ｄを操作して、受信周波数を選局情報で特定されるラジオ局に合わせる。
【００３３】
一方、自動でラジオ局４を選択する場合（ステップＳ１０８のＹｅｓの場合）は、ステップＳ１１０で、携帯端末２の選局情報抽出手段２ｂは、受信した電子メールから選局情報を抽出し、外部通信手段２ｃを用いて抽出した選局情報をカーオーディオ装置５に送信する。なお、選局情報としてラジオ局の名称が記述されている場合は、予め記憶されたテーブルを参照してラジオ局の名称から受信周波数を特定し、その受信周波数をカーオーディオ装置５に送信すればよい。
【００３４】
次に、ステップＳ１１１で、カーオーディオ装置５の外部通信手段５ｃは、携帯端末２から送信された選局情報を受信し、ラジオ局選局手段５ｂは受信周波数を選局情報で特定されるラジオ局に合わせる。
【００３５】
その後、ステップＳ１１２で、ラジオ放送受信手段５ａは、手動又は自動で選局されたラジオ局からラジオ放送を受信し、自動車内に設けられたスピーカからラジオ放送を流す。これによりリスナー１は予め登録したリクエスト情報に合致した楽曲を聴くことができる。
【００３６】
このように、本実施例によれば、リスナー１が予めタイトル名やアーティスト名、ジャンルなどのリクエスト情報を情報配信装置３に登録しておくと、情報配信装置３は、各ラジオ局のＷＥＢサイトからオンエア中又はオンエア予定の楽曲のタイトル名やアーティスト名、ジャンルなどのオンエア情報を取得し、リクエスト情報とオンエア情報とを比較し、リクエスト情報に適合する楽曲がある場合に、その楽曲を放送するラジオ局を特定する選局情報を含む電子メールをリスナー１の携帯端末２に送信するため、所望の楽曲を簡単かつ確実に聴くことができる。また、携帯端末２に電子メールから選局情報を抽出して送信する機能を設け、カーオーディオ装置５に選局情報を受信して受信周波数をそのラジオ局４に調整する手段を設けることにより、リスナー１がカーオーディオ装置５を操作して選局しなくても、所望の楽曲を更に簡単かつ確実に聴くことができる。
【００３７】
なお、上記実施例では、カーオーディオ装置５のラジオ受信機でラジオ放送を受信する場合について記載したが、本発明は上記実施例に限定されるものではなく、任意のラジオ受信機（例えば、家庭用ラジオ受信機）でラジオ放送を受信する場合についても同様に適用することができる。また、上記実施例では、ラジオ受信機を用いる場合について記載したが、テレビジョン受信機やカーナビゲーション装置のワンセグ放送受信機に対しても同様に適用可能である。
【産業上の利用可能性】
【００３８】
本発明は、自動車に搭載されたラジオ受信機に限らず、選局を必要とする任意の機器の選局を支援するシステム及び方法に利用することができる。
【図面の簡単な説明】
【００３９】
【図１】本発明の一実施例に係る情報配信システムの構成を模式的に示す図である。
【図２】本発明の一実施例に係る情報配信システムの情報配信装置の構成を示すブロック図である。
【図３】本発明の一実施例に係る情報配信システムの携帯端末の構成を示すブロック図である。
【図４】本発明の一実施例に係る情報配信システムのカーオーディオ装置の構成を示すブロック図である。
【図５】本発明の一実施例に係る情報配信システムを用いた情報配信手順を示すフローチャート図である。
【図６】本発明の一実施例に係る情報配信システムの情報配信装置から送信される電子メールの構成例を示す図である。
【符号の説明】
【００４０】
１  リスナー（ユーザー）
２  携帯端末
２ａ  無線通信手段
２ｂ  選局情報抽出手段
２ｃ  外部通信手段
２ｄ  表示手段
２ｅ  操作手段
３  情報配信装置
３ａ  検索手段
３ｂ  リクエスト情報登録手段
３ｃ  リクエスト情報受信手段
３ｄ  リクエスト情報ＤＢ
３ｅ  電子メール送信手段
４  ラジオ局
４ａ  送信部
４ｂ  ラジオ局ホームページ
５  カーオーディオ装置
５ａ  ラジオ放送受信手段
５ｂ  ラジオ局選局手段
５ｃ  外部通信手段
５ｄ  操作手段
【図１】
2008085943.tif 000003
【図２】
2008085943.tif 000004
【図３】
2008085943.tif 000005
【図４】
2008085943.tif 000006
【図５】
2008085943.tif 000007
【図６】
2008085943.tif 000008